【手続補正書】
【提出日】平成16年1月8日(2004.1.8)
【手続補正１】
【補正対象書類名】明細書
【補正対象項目名】発明の名称
【補正方法】変更
【補正の内容】
【発明の名称】ビタビ復号装置およびビタビ復号方法
【手続補正２】
【補正対象書類名】明細書
【補正対象項目名】特許請求の範囲
【補正方法】変更
【補正の内容】
【特許請求の範囲】
【請求項１】
受信信号を復調する際に検出される受信電力レベル情報を用いて、前記受信信号に対応するメトリックデータに重み付け処理を行うビタビ復号装置であって、
前記受信電力レベル情報を所定倍率で増大させて出力する電力レベル増大回路を備え、
該電力レベル増大回路から出力された受信電力レベル情報に基づいて前記重み付け処理を行うことを特徴とするビタビ復号装置。
【請求項２】
前記受信電力レベル情報を所定値以下にする電力レベル制限回路をさらに備え、
前記電力レベル増大回路は、前記電力レベル制限回路において所定値以下にされた前記電力レベル情報を所定倍率で増大させることを特徴とする請求項１記載のビタビ復号装置。
【請求項３】
前記受信信号に対応する伝送方式を検出する伝送方式検出回路をさらに備え、
前記電力レベル増大回路は、前記伝送方式検出回路の出力に基づいて前記所定倍率を設定することを特徴とする請求項１記載のビタビ復号装置。
【請求項４】
前記受信信号に対応する伝送方式を検出する伝送方式検出回路をさらに備え、
前記電力レベル制限回路は、前記伝送方式検出回路の出力に基づいて前記所定値を設定し、
前記電力レベル増大回路は、前記伝送方式検出回路の出力に基づいて前記所定倍率を設定することを特徴とする請求項２記載のビタビ復号装置。
【請求項５】
前記伝送方式検出回路は、前記受信信号に含まれる、キャリア変調モード、符号化率、または受信モードのうちの少なくとも１つに基づいて前記伝送方式を検出することを特徴とする請求項３または４記載のビタビ復号装置。
【請求項６】
受信信号をビタビ復号した結果に対応するビットエラーレートを検出するＢＥＲ検出回路をさらに備え、
前記電力レベル増大回路は、前記ＢＥＲ検出回路の出力に基づいて前記所定倍率を設定することを特徴とする請求項１記載のビタビ復号装置。
【請求項７】
受信信号をビタビ復号した結果に対応するビットエラーレートを検出するＢＥＲ検出回路をさらに備え、
前記電力レベル制限回路は、前記ＢＥＲ検出回路の出力に基づいて前記所定値を設定し、
前記電力レベル増大回路は、前記ＢＥＲ検出回路の出力に基づいて前記所定倍率を設定することを特徴とする請求項２記載のビタビ復号装置。
【請求項８】
前記受信信号に対応する伝送方式を検出する伝送方式検出回路をさらに備え、
前記電力レベル増大回路は、前記伝送方式検出回路の出力および前記ＢＥＲ検出回路の出力に基づいて前記所定倍率を設定することを特徴とする請求項６記載のビタビ復号装置。
【請求項９】
前記受信信号に対応する伝送方式を検出する伝送方式検出回路をさらに備え、
前記電力レベル制限回路は、前記伝送方式検出回路の出力および前記ＢＥＲ検出回路の出力に基づいて前記所定値を設定し、
前記電力レベル増大回路は、前記伝送方式検出回路の出力および前記ＢＥＲ検出回路の出力に基づいて前記所定倍率を設定することを特徴とする請求項７記載のビタビ復号装置。
【請求項１０】
前記電力レベル制限回路および前記電力レベル増大回路は、
前記ＢＥＲ検出回路の出力が所定値未満である場合には、前記伝送方式検出回路の出力のみに基づいて動作し、
前記ＢＥＲ検出回路の出力が所定値以上である場合には、前記伝送方式検出回路の出力および前記ＢＥＲ検出回路の出力に基づいて動作することを特徴とする請求項８または９記載のビタビ復号装置。
【請求項１１】
予め設定される変換特性に基づいて前記受信電力レベル情報を変換して出力する電力レベル発生用変換テーブルをさらに備え、
前記電力レベル制限回路は、前記電力レベル発生用変換テーブルから出力された受信電力レベル情報を所定値以下にすることを特徴とする請求項８または９記載のビタビ復号装置。
【請求項１２】
前記変換特性は、前記電力レベル発生用変換テーブルに入力される信号と前記受信電力レベル情報とを非線形に関連づけた非線形変換特性であることを特徴とする請求項１１記載のビタビ復号装置。
【請求項１３】
前記電力レベル発生用変換テーブルは、複数の変換特性が設定され、
前記電力レベル制限回路は、前記伝送方式検出回路の出力および前記ＢＥＲ検出回路の出力に応じて選択された前記複数の変換特性のうち何れかの変換特性に基づく受信電力レベル情報を所定値以下にすることを特徴とする請求項１１または１２記載のビタビ復号装置。
【請求項１４】
前記電力レベル発生用変換テーブルは、設定された変換特性を外部から書き換え可能な記憶手段を有して構成されることを特徴とする請求項１３記載のビタビ復号装置。
【請求項１５】
前記記憶手段は、前記複数の変換特性、前記受信電力レベル情報を所定値にする電力制限情報、または前記受信電力レベル情報を所定倍率で増大させる電力増幅情報が格納され、
前記電力レベル発生用変換テーブルは、前記伝送方式検出回路の出力および前記ＢＥＲ検出回路の出力に基づいて、前記記憶手段に格納された、前記複数の変換特性、前記電力制限情報または前記電力増幅情報に対応する信号を出力することを特徴とする請求項１４記載のビタビ復号装置。
【請求項１６】
受信信号を復調する際に検出される受信電力レベル情報を用いて、前記受信信号に対応するメトリックデータに重み付け処理を行うビタビ復号方法であって、
前記受信電力レベル情報を所定倍率で増大させた結果に基づいて前記重み付け処理を行うことを特徴とするビタビ復号方法。
【手続補正３】
【補正対象書類名】明細書
【補正対象項目名】００３４
【補正方法】変更
【補正の内容】
【００３４】
【課題を解決するための手段】
上述の目的を達成するため、請求項１に記載したこの発明に係るビタビ復号装置は、受信信号を復調する際に検出される受信電力レベル情報を用いて、受信信号に対応するメトリックデータに重み付け処理を行うビタビ復号装置であって、受信電力レベル情報を所定倍率で増大させて出力する電力レベル増大回路を備え、該電力レベル増大回路から出力された受信電力レベル情報に基づいて重み付け処理を行うことを特徴とする。また、請求項２に記載したこの発明に係るビタビ復号装置は、請求項１記載のビタビ復号装置において、受信電力レベル情報を所定値以下にする電力レベル制限回路をさらに備え、電力レベル増大回路は、電力レベル制限回路において所定値以下にされた電力レベル情報を所定倍率で増大させることを特徴とする。
【手続補正４】
【補正対象書類名】明細書
【補正対象項目名】００３５
【補正方法】変更
【補正の内容】
【００３５】
また、請求項３の本発明は、請求項１記載のビタビ復号装置において、受信信号に対応する伝送方式を検出する伝送方式検出回路をさらに備え、電力レベル増大回路は、伝送方式検出回路の出力に基づいて所定倍率を設定することを特徴とする。また、請求項４の本発明は、請求項２記載のビタビ復号装置において、受信信号に対応する伝送方式を検出する伝送方式検出回路をさらに備え、電力レベル制限回路は、伝送方式検出回路の出力に基づいて所定値を設定し、電力レベル増大回路は、伝送方式検出回路の出力に基づいて所定倍率を設定することを特徴とする。また、請求項５の本発明は、請求項３または４記載のビタビ復号装置において、伝送方式検出回路は、受信信号に含まれる、キャリア変調モード、符号化率、または受信モードのうちの少なくとも１つに基づいて伝送方式を検出することを特徴とする。
【手続補正５】
【補正対象書類名】明細書
【補正対象項目名】００３６
【補正方法】変更
【補正の内容】
【００３６】
また、請求項６の本発明は、請求項１記載のビタビ復号装置において、受信信号をビタビ復号した結果に対応するビットエラーレートを検出するＢＥＲ検出回路をさらに備え、電力レベル増大回路は、ＢＥＲ検出回路の出力に基づいて所定倍率を設定することを特徴とする。また、請求項７の本発明は、請求項２記載のビタビ復号装置において、受信信号をビタビ復号した結果に対応するビットエラーレートを検出するＢＥＲ検出回路をさらに備え、電力レベル制限回路は、ＢＥＲ検出回路の出力に基づいて所定値を設定し、電力レベル増大回路は、ＢＥＲ検出回路の出力に基づいて所定倍率を設定することを特徴とする。
【手続補正６】
【補正対象書類名】明細書
【補正対象項目名】００３７
【補正方法】変更
【補正の内容】
【００３７】
また、請求項８の本発明は、請求項６記載のビタビ復号装置において、受信信号に対応する伝送方式を検出する伝送方式検出回路をさらに備え、電力レベル増大回路は、伝送方式検出回路の出力およびＢＥＲ検出回路の出力に基づいて所定倍率を設定することを特徴とする。また、請求項９の本発明は、請求項７記載のビタビ復号装置において、受信信号に対応する伝送方式を検出する伝送方式検出回路をさらに備え、電力レベル制限回路は、伝送方式検出回路の出力およびＢＥＲ検出回路の出力に基づいて所定値を設定し、電力レベル増大回路は、伝送方式検出回路の出力およびＢＥＲ検出回路の出力に基づいて所定倍率を設定することを特徴とする。
【手続補正７】
【補正対象書類名】明細書
【補正対象項目名】００３８
【補正方法】変更
【補正の内容】
【００３８】
また、請求項１０の本発明は、請求項８または９記載のビタビ復号装置において、電力レベル制限回路および前記電力レベル増大回路は、ＢＥＲ検出回路の出力が所定値未満である場合には、伝送方式検出回路の出力のみに基づいて動作し、ＢＥＲ検出回路の出力が所定値以上である場合には、伝送方式検出回路の出力およびＢＥＲ検出回路の出力に基づいて動作することを特徴とする。


【手続補正８】
【補正対象書類名】明細書
【補正対象項目名】００３９
【補正方法】変更
【補正の内容】
【００３９】
また、請求項１１の本発明は、請求項８または９記載のビタビ復号装置において、予め設定される変換特性に基づいて受信電力レベル情報を変換して出力する電力レベル発生用変換テーブルをさらに備え、電力レベル制限回路は、電力レベル発生用変換テーブルから出力された受信電力レベル情報を所定値以下にすることを特徴とする。また、請求項１２の本発明は、請求項１１記載のビタビ復号装置において、変換特性は、電力レベル発生用変換テーブルに入力される信号と受信電力レベル情報とを非線形に関連づけた非線形変換特性であることを特徴とする。
【手続補正９】
【補正対象書類名】明細書
【補正対象項目名】００４０
【補正方法】変更
【補正の内容】
【００４０】
また、請求項１３の本発明は、請求項１１または１２記載のビタビ復号装置において、電力レベル発生用変換テーブルは、複数の変換特性が設定され、電力レベル制限回路は、伝送方式検出回路の出力およびＢＥＲ検出回路の出力に応じて選択された複数の変換特性のうち何れかの変換特性に基づく受信電力レベル情報を所定値以下にすることを特徴とする。
【手続補正１０】
【補正対象書類名】明細書
【補正対象項目名】００４１
【補正方法】変更
【補正の内容】
【００４１】
また、請求項１４の本発明は、請求項１３記載のビタビ復号装置において、電力レベル発生用変換テーブルは、設定された変換特性を外部から書き換え可能な記憶手段を有して構成されることを特徴とする。また、請求項１５の本発明は、請求項１４記載のビタビ復号装置において、記憶手段は、複数の変換特性、受信電力レベル情報を所定値にする電力制限情報、または受信電力レベル情報を所定倍率で増大させる電力増幅情報が格納され、電力レベル発生用変換テーブルは、伝送方式検出回路の出力およびＢＥＲ検出回路の出力に基づいて、記憶手段に格納された、複数の変換特性、電力制限情報または電力増幅情報に対応する信号を出力することを特徴とする。
【手続補正１１】
【補正対象書類名】明細書
【補正対象項目名】００４２
【補正方法】変更
【補正の内容】
【００４２】
また、請求項１６に記載したこの発明に係るビタビ復号装置は、受信信号を復調する際に検出される受信電力レベル情報を用いて、受信信号に対応するメトリックデータに重み付け処理を行うビタビ復号方法であって、受信電力レベル情報を所定倍率で増大させた結果に基づいて重み付け処理を行うことを特徴とする。
【手続補正１２】
【補正対象書類名】明細書
【補正対象項目名】０１４９
【補正方法】変更
【補正の内容】
【０１４９】
【発明の効果】
以上のように、請求項１に記載したこの発明のビタビ復号装置によれば、受信電力レベル情報を所定倍率で増大させて出力する電力レベル増大回路を設け、また、請求項２に記載したこの発明に係るビタビ復号装置によれば、受信電力レベル情報を所定値以下にする電力レベル制限回路をさらに設け、また、請求項１６に記載したこの発明のビタビ復号方法によれば、受信電力レベル情報を所定倍率で増大させた結果に基づいて重み付け処理を行い、復調した受信信号の電力レベル情報そのものでなく、電力レベル増大回路から出力される変換された電力レベル情報で重み付けを行う機能を設けるようにしたので、様々な伝送信号パラメータの変化や、受信環境によって変化する入力電力レベル情報に応じて、上記両回路の制御を適切に行い、メトリック値の中間値情報量を調整することが可能となり、結果としてビタビ復号時に最も誤り率を小さくする電力レベル情報に変換できる効果があり、従来よりも受信性能を向上させることができる。


【手続補正１３】
【補正対象書類名】明細書
【補正対象項目名】０１５０
【補正方法】変更
【補正の内容】
【０１５０】
また、請求項３〜５に記載したこの発明のビタビ復号装置によれば、受信するキャリア変調方式や符号化率等の、システムの伝送信号パラメータ情報を検出する伝送方式検出回路を設け、その検出結果をもとに、電力レベル制限回路と電力レベル増大回路の制御を行う機能を設けたので、受信する実際の伝送信号パラメータを検出でき、例えば、あらかじめ伝送信号パラメータ毎に最適な電力制限値と電力倍率値を決めておくことで、検出した伝送信号方式毎に最適な制御を行うことが可能となり、各種伝送信号方式毎に最適な受信性能を得ることができる。


【手続補正１４】
【補正対象書類名】明細書
【補正対象項目名】０１５１
【補正方法】変更
【補正の内容】
【０１５１】
また、請求項６〜７に記載したこの発明のビタビ復号装置によれば、ビタビ復号処理後のビットエラーレート値を検出するＢＥＲ検出回路を設け、その検出結果をもとに、電力レベル制限回路と電力レベル増大回路の制御を行う機能を設けたので、受信する実際の伝送環境（ＢＥＲ値による受信性能）を検出でき、その検出結果をもとに上記両処理回路の制御を行うことで、受信環境が変化する場合でも柔軟に最適な受信性能を得ることができる。


【手続補正１５】
【補正対象書類名】明細書
【補正対象項目名】０１５２
【補正方法】変更
【補正の内容】
【０１５２】
また、請求項８〜１０に記載したこの発明のビタビ復号装置によれば、伝送方式検出回路とＢＥＲ検出回路の両方を設け、通常は伝送方式検出回路で検出されたシステムの伝送信号パラメータ等の内容により、電力レベル制限回路と電力レベル増大回路の選択的制御を行い、ＢＥＲ検出回路の検出内容如何によっては、電力レベル制限回路と電力レベル増大回路の制御内容に修正を加える機能を設けたので、受信する実際の伝送信号パラメータと、受信環境を同時に検出でき、伝送信号方式が切り替わり、なおかつ受信環境が時間的に変化しても柔軟に最適な受信性能を得ることができる。


【手続補正１６】
【補正対象書類名】明細書
【補正対象項目名】０１５３
【補正方法】変更
【補正の内容】
【０１５３】
また、請求項１１〜１２に記載したこの発明のビタビ復号装置によれば、非線型特性を持つ電力レベル情報を発生させるための電力レベル発生用変換テーブルを設け、変換後の出力に対して、電力レベル制限回路と電力レベル増大回路の制御を行い、非線形化された電力レベル情報によって重み付けをした多値メトリックを使用する機能を設けたので、復調パイロット信号が小さい時、すなわち復調信号の信頼度が低いデータの時に、一次曲線を使ったリニア変換テーブルを用いた線形的電力レベル情報に比べて、発生する電力レベル情報を０に偏らせ、信頼度の低い復調信号のメトリック値を‘０’と‘１’の中間値とすることができ、信頼度が低いと思われる復調信号によるビタビ復号への影響が最小限となり、信頼度のある復調信号をより有効に使用することで、ビタビデコーダの誤り訂正能力をさらに改善できる。


【手続補正１７】
【補正対象書類名】明細書
【補正対象項目名】０１５４
【補正方法】変更
【補正の内容】
【０１５４】
さらに、請求項１３に記載したこの発明のビタビ復号装置によれば、受信信号を復調した時の電力レベル情報を発生する為の変換特性を複数持つ電力レベル発生用変換テーブルを備え、伝送方式検出回路とＢＥＲ検出回路の結果から、電力レベル制限回路と電力レベル増大回路の制御と同時に、受信したデータの誤り訂正能力が高くなるように、複数種のテーブルを切り替える制御機能を設けたので、伝送方式検出回路の出力によって判断可能な、システムの伝送信号方式や、ＢＥＲ検出回路の出力によって判断可能な、受信環境の両方が切り替わる様々な環境下において、最適な変換テーブルを用いることができ、電力制限及び電力倍率の制御と、最適な特性を持つ電力レベル発生用非線型複数変換テーブルの制御とを同時に行うことで、ビタビデコーダの誤り訂正能力をさらに改善させることができる。


【手続補正１８】
【補正対象書類名】明細書
【補正対象項目名】０１５５
【補正方法】変更
【補正の内容】
【０１５５】
さらに、請求項１４に記載したこの発明のビタビ復号装置によれば、受信信号を復調した時の電力レベル情報を発生する為の変換特性を持つテーブルを、汎用メモリ等によって構成し、ＣＰＵ等の外部からメモリ（テーブル）内容を書き換え、変換特性を任意に変更する機能を設け、電力変換特性が書き込まれた複数の固定テーブルをサポートする構成から、変換特性が自由にリード／ライトできる汎用メモリを使ったテーブルに変更しているので、任意のタイミングで受信環境に最適な任意の変換特性を持たせた電力レベル情報を、選択ではなくて柔軟に発生でき、受信環境に応じてビタビデコーダの誤り訂正能力をさらに柔軟に改善できる。また、複数のテーブルを１つの汎用メモリに置き換えて実施できることから、ビタビ復号装置の回路規模を小さくすることが可能となり、復号装置の回路コストを低減させることができる。


【手続補正１９】
【補正対象書類名】明細書
【補正対象項目名】０１５６
【補正方法】変更
【補正の内容】
【０１５６】
また、請求項１５に記載したこの発明のビタビ復号装置によれば、電力レベル情報を発生する為の変換特性を持つテーブルを、ＲＡＭ等の汎用メモリで構成する方式にし、ＲＡＭに非線形変換特性を与える機能だけでなく、電力倍率や電力制限値を変更する機能も持たせたので、電力レベル制限回路と、電力レベル増大回路の機能をＲＡＭに代用させることができ、ビタビ復号装置の回路規模をさらに小さくすることが可能となり、復号装置の回路コストを低減させることができる。